(57)【要約】【課題】表示されるコンテンツが自分を対象としたものであることをユーザに伝えること。【解決手段】コンテンツ表示部２０２は、コンテンツ取得部２０１により取得されたコンテンツを図５に表す表示面３４１に表示する。対象ユーザ特定部２０３は、コンテンツ表示部２０２により表示されるコンテンツが対象とするユーザを特定する。ユーザ方向検出部２０４は、ユーザが存在する方向を検出する。表示面向き制御部２０５は、対象ユーザ特定部２０３により特定されたユーザについてユーザ方向検出部２０４により検出された方向に、コンテンツ表示部２０２によってコンテンツが表示されるときの表示面３４１の向きを向けるようにコンテンツ表示部２０２を制御する。【選択図】図７
2017069865.tif 000002
【特許請求の範囲】
【請求項１】
コンテンツを表示面に表示する表示部と、
前記コンテンツが対象とするユーザを特定する第１特定部と、
ユーザが存在する方向を検出する検出部と、
前記コンテンツが表示されるときの前記表示面の向き又は当該表示面に表示される画像が示す向きを、特定された前記ユーザについて検出された方向に向ける第１制御部と
を備える表示装置。
【請求項２】
前記第１特定部は、表示される前記コンテンツの種類又は前記コンテンツの内容に基づいて前記対象とするユーザを特定する
請求項１に記載の表示装置。
【請求項３】
前記第１特定部は、複数の前記コンテンツがそれぞれ対象とするユーザを特定し、
前記第１制御部は、特定された前記ユーザから選択された一のユーザの方向に前記向きを向ける制御を繰り返し行い、
前記表示部は、前記選択された一のユーザを対象とするコンテンツを表示する
請求項１又は２に記載の表示装置。
【請求項４】
前記複数のユーザには優先度が決められており、
前記第１制御部は、前記選択された一のユーザの方向に前記向きを向ける期間を当該ユーザの優先度に応じた長さにする
請求項３に記載の表示装置。
【請求項５】
前記第１特定部は、複数の前記コンテンツがそれぞれ対象とするユーザを特定し、
前記第１制御部は、前記第１特定部により特定されたユーザが存在する一定の範囲における一の方向に前記向きを向け、
前記表示部は、前記第１特定部により対象が特定された前記コンテンツを表示する
請求項１又は２に記載の表示装置。
【請求項６】
前記複数のユーザには優先度が決められており、
前記第１制御部は、優先度の低いユーザの方向よりも優先度の高いユーザの方向に近い方向を前記一の方向として前記向きを向ける
請求項５に記載の表示装置。
【請求項７】
グループに属するユーザのうち前記表示面が見える位置にいるユーザを検知する検知部と、
前記グループに属するユーザのうち前記検知部により検知されなかったユーザに対応付けられた宛先に前記コンテンツを出力する出力部とを備える
請求項１から６のいずれか１項に記載の表示装置。
【請求項８】
自装置からユーザまでの距離を測定する測定部と、
音を放音する放音部と、
特定された前記ユーザを対象とするコンテンツが表示される場合に、前記測定部により測定された当該ユーザと自装置との距離に応じた音量で前記音を放音するよう前記放音部を制御する第２制御部とを備える
請求項１から７のいずれか１項に記載の表示装置。
【請求項９】
前記第２制御部は、第１ユーザを対象とするコンテンツが表示される場合に、当該第１ユーザについて測定された距離よりも短い距離が測定された第２ユーザがいるときには、前記距離に応じた音量よりも小さな音量で前記音を放音させる
請求項８に記載の表示装置。
【請求項１０】
ユーザからの音声による指示を受け付ける受付部と、
前記音声による指示をしたユーザを特定する第２特定部とを備え、
前記表示部は、前記第２特定部により特定されたユーザを対象とするコンテンツを表示し、
前記第１制御部は、前記第２特定部により特定されたユーザについて検出された方向に前記向きを向ける
請求項１から９のいずれか１項に記載の表示装置。
【発明の詳細な説明】
【技術分野】
【０００１】
本発明は、複数のユーザの中からコンテンツに応じて選択されたユーザに、そのコンテンツをより見やすい状態で提供する技術に関する。
【背景技術】
【０００２】
コンテンツをより見やすい状態で提供する技術が知られている。特許文献１には、ユーザが接近してくる方向に応じてカーナビの表示パネルの方向を変更する技術が開示されている。
【先行技術文献】
【特許文献】
【０００３】
【特許文献１】特開２０１３−２２４０９８号公報
【発明の概要】
【発明が解決しようとする課題】
【０００４】
コンテンツを表示する表示装置を複数のユーザ（例えば家族）が利用する場合がある。その表示装置が特定のユーザ（父親や母親、子供など）を対象とするコンテンツを表示する場合には、表示されたコンテンツがどの方向にいるユーザを対象とするものであるのかを知ることができると便利である。
そこで、本発明は、表示されるコンテンツが自分を対象としたものであることをユーザに伝えることを目的とする。
【課題を解決するための手段】
【０００５】
上記目的を達成するために、本発明は、コンテンツを表示面に表示する表示部と、前記コンテンツが対象とするユーザを特定する第１特定部と、ユーザが存在する方向を検出する検出部と、前記コンテンツが表示されるときの前記表示面の向き又は当該表示面に表示される画像が示す向きを、特定された前記ユーザについて検出された方向に向ける第１制御部とを備える表示装置を提供する。
【０００６】
また、前記第１特定部は、表示される前記コンテンツの種類又は前記コンテンツの内容に基づいて前記対象とするユーザを特定してもよい。
さらに、前記第１特定部は、複数の前記コンテンツがそれぞれ対象とするユーザを特定し、前記第１制御部は、特定された前記ユーザから選択された一のユーザの方向に前記向きを向ける制御を繰り返し行い、前記表示部は、前記選択された一のユーザを対象とするコンテンツを表示してもよい。
また、前記複数のユーザには優先度が決められており、前記第１制御部は、前記選択された一のユーザの方向に前記向きを向ける期間を当該ユーザの優先度に応じた長さにしてもよい。
【０００７】
また、前記第１特定部は、複数の前記コンテンツがそれぞれ対象とするユーザを特定し、前記第１制御部は、前記第１特定部により特定されたユーザが存在する一定の範囲における一の方向に前記向きを向け、前記表示部は、前記第１特定部により対象が特定された前記コンテンツを表示してもよい。
さらに、前記複数のユーザには優先度が決められており、前記第１制御部は、優先度の低いユーザの方向よりも優先度の高いユーザの方向に近い方向を前記一の方向として前記向きを向けてもよい。
【０００８】
また、グループに属するユーザのうち前記表示面が見える位置にいるユーザを検知する検知部と、前記グループに属するユーザのうち前記検知部により検知されなかったユーザに対応付けられた宛先に前記コンテンツを出力する出力部とを備えてもよい。
さらに、自装置からユーザまでの距離を測定する測定部と、音を放音する放音部と、特定された前記ユーザを対象とするコンテンツが表示される場合に、前記測定部により測定された当該ユーザと自装置との距離に応じた音量で前記音を放音するよう前記放音部を制御する第２制御部とを備えていてもよい。
【０００９】
また、前記第２制御部は、第１ユーザを対象とするコンテンツが表示される場合に、当該第１ユーザについて測定された距離よりも短い距離が測定された第２ユーザがいるときには、前記距離に応じた音量よりも小さな音量で前記音を放音させてもよい。
さらに、ユーザからの音声による指示を受け付ける受付部と、前記音声による指示をしたユーザを特定する第２特定部とを備え、前記表示部は、前記第２特定部により特定されたユーザを対象とするコンテンツを表示し、前記第１制御部は、前記第２特定部により特定されたユーザについて検出された方向に前記向きを向けてもよい。
【発明の効果】
【００１０】
本発明によれば、表示されるコンテンツが自分を対象としたものであることをユーザに伝えることができる。
【図面の簡単な説明】
【００１１】
【図１】第１実施例に係るコンテンツ提供システムの全体構成を表す図
【図２】コンテンツ配信装置のハードウェア構成を表す図
【図３】タブレット端末のハードウェア構成を表す図
【図４】クレードルのハードウェア構成を表す図
【図５】コンテンツ表示装置の外観を表す図
【図６】上から見たコンテンツ表示装置を表す図
【図７】コンテンツ表示装置が実現する機能構成を表す図
【図８】対象テーブルの一例を表す図
【図９】検出されたユーザの方向の一例を表す図
【図１０】向き制御処理における動作手順の一例を表す図
【図１１】第２実施例のコンテンツ表示装置が実現する機能構成を表す図
【図１２】表示面に表示されるキャラクタ画像の一例を表す図
【図１３】キャラクタ画像が向きを示す例を表す図
【図１４】右目画像を拡大して表す図
【図１５】表示面の向きが移り変わる様子の一例を表す図
【図１６】代表方向の定め方を説明するための図を表す図
【図１７】優先度テーブルの一例を表す図
【図１８】優先度テーブルの別の一例を表す図
【図１９】変形例で定められる代表方向の一例を表す図
【図２０】変形例のコンテンツ表示装置が実現する機能構成を表す図
【図２１】変形例の向き制御処理における動作手順の一例を表す図
【図２２】変形例のコンテンツ表示装置が実現する機能構成を表す図
【図２３】音量テーブルの一例を表す図
【図２４】第１及び第２ユーザの一例を表す図
【図２５】変形例のコンテンツ表示装置が実現する機能構成を表す図
【図２６】変形例のコンテンツ表示装置のハードウェア構成を表す図
【図２７】変形例に係るコンテンツ提供システムの全体構成を表す図
【図２８】クレードルのハードウェア構成を表す図
【発明を実施するための形態】
【００１２】
［１］第１実施例
図１は第１実施例に係るコンテンツ提供システム１の全体構成を表す。コンテンツ提供システム１はユーザにコンテンツを提供するするシステムである。コンテンツ提供システム１は、ネットワーク２と、コンテンツ配信装置１０と、コンテンツ表示装置２０とを備える。ネットワーク２は、例えば移動体通信網及びインターネットを含み、装置同士のデータのやり取りを仲介するシステムである。ネットワーク２にはコンテンツ配信装置１０及びコンテンツ表示装置２０が接続される。
【００１３】
コンテンツ配信装置１０は、コンテンツ表示装置２０に対してコンテンツを配信する装置である。ここでいうコンテンツは、文字、絵及び写真等の画像（静止画及び動画のどちらでもよい）や音（音楽やセリフなど）などによって表される。なお、文字の画像には、ｂｍｐ（Bitmap）等の画像ファイル形式のいわゆる画像データで表されるものだけでなく、文字コードやＨＴＭＬ（HyperText Markup Language）文書などの表示すべき文字を表す文字データにより表示されるものも含まれるものとする。
【００１４】
コンテンツ配信装置１０は、コンテンツを表す文字データや画像データ、動画データ、音データを送信することでコンテンツを配信する。コンテンツ配信装置１０は、例えば、ニュースや天気予報、料理番組、芸能情報、スポーツ情報、アニメ情報、教育番組情報といった種類のコンテンツを配信する。コンテンツ配信装置１０は、これらのコンテンツの種類を表すメタデータを文字データや画像データなどとともに送信する。
【００１５】
コンテンツ表示装置２０は、配信されてきたコンテンツを表示する装置である。コンテンツ表示装置２０は、本実施例では、タブレット端末３０と、クレードル４０とを備える。タブレット端末３０は、画像の表示や音の放音を行う機能を有する装置である。タブレット端末３０は、ユーザによって持ち運ばれて利用されたり、テーブル等に置いた状態やクレードル４０に接続された状態で利用されたりする。
【００１６】
タブレット端末３０は、移動体通信や無線ＬＡＮ（Local Area Network）の規格に準拠した無線通信により、コンテンツ配信装置１０からネットワーク２を介して配信されてきたデータを受信する。クレードル４０は、自装置に接続されたタブレット端末３０を充電したり、後述するようにそのタブレット端末３０の向きを変更したりする装置である。タブレット端末３０及びクレードル４０が協働することでコンテンツ表示装置２０として機能する。
【００１７】
図２はコンテンツ配信装置１０のハードウェア構成を表す。コンテンツ配信装置１０は、制御部１１と、記憶部１２と、通信部１３とを備えるコンピュータである。制御部１１は、ＣＰＵ（Central Processing Unit）、ＲＯＭ（Read Only Memory）、ＲＡＭ（Random Access Memory）及びリアルタイムクロックを備え、ＣＰＵが、ＲＡＭをワークエリアとして用いてＲＯＭや記憶部１２に記憶されたプログラムを実行することによって各部の動作を制御する。リアルタイムクロックは、現在の日時を算出してＣＰＵに通知する。
【００１８】
記憶部１２は、ＨＤＤ（Hard disk drive）等を備え、制御部１１が制御に用いるデータやプログラム、上述したコンテンツを表すデータ（文字データや画像データ、音データ）などを記憶している。通信部１３は、通信回路等を備え、ネットワーク２を介してコンテンツ表示装置２０にデータを送信する。
【００１９】
図３はタブレット端末３０のハードウェア構成を表す。タブレット端末３０は、制御部３１と、記憶部３２と、Ｉ／Ｆ（Interface）部３３と、表示部３４と、操作部３５と、撮影部３６と、音入出力部３７と、通信部３８とを備えるコンピュータである。制御部３１は図２に表された制御部１１と同種のハードウェアである。記憶部３２は、フラッシュメモリ等を備え、制御部３１が制御に用いるデータやプログラムを記憶している。Ｉ／Ｆ部３３は、接続端子等を備え、クレードル４０と自装置が接続される際のインターフェースとなる。
【００２０】
表示部３４は、例えば液晶ディスプレイを備え、制御部３１により制御されて表示面に画像を表示する。操作部３５は、表示部３４の表示面に重ねて設けられたタッチセンサ（タッチスクリーンやタッチパネルともいう）や自装置の筐体に設けられたボタン等を備え、ユーザの操作を受け付けてその操作の内容を示す操作データを制御部３１に供給する。制御部３１は供給された操作データに基づいて各部を制御する。撮影部３６は、レンズ及びイメージセンサ等を備え、写真を撮影する。撮影部３６は撮影した写真を表す写真データを制御部３１に供給する。音入出力部３７は、マイクロフォン及びスピーカ等を備え、周囲の音の入力及び音の出力を行う。通信部３８は、通信回路等を備え、ネットワーク２を介してコンテンツ表示装置２０とデータ通信を行う。
【００２１】
図４はクレードル４０のハードウェア構成を表す。クレードル４０は、制御部４１と、Ｉ／Ｆ部４２と、回転駆動部４３とを備えるコンピュータである。制御部４１は図２に表された制御部１１と同種のハードウェアである。Ｉ／Ｆ部４２は、接続端子等を備え、タブレット端末３０と自装置が接続される際のインターフェースとなる。回転駆動部４３は、自装置に接続されたタブレット端末３０を回転させるための駆動力を発生させる。クレードル４０によるタブレット端末３０の回転駆動について、図５及び図６を参照して説明する。
【００２２】
図５はコンテンツ表示装置２０の外観を表す。図５（ａ）ではタブレット端末３０及びクレードル４０が接続されていない状態が表され、図５（ｂ）ではそれらが接続された状態が表されている。図５ではタブレット端末３０の表示部３４の表示面３４１と撮影部３６のレンズ３６１とが表されている。これらはいずれもタブレット端末３０の表面側に設けられている。クレードル４０は、端末差込部４５と、台座４６とを備える。端末差込部４５は、タブレット端末３０が差し込まれる部分である。端末差込部４５に差し込まれたタブレット端末３０は図５（ｂ）に表すように端末差込部４５に固定される。台座４６は端末差込部４５に固定されたタブレット端末３０が倒れないように支える円盤状の台である。
【００２３】
図６は上から見たコンテンツ表示装置２０を表す。図４に表す回転駆動部４３は、台座４６に設けられており、端末差込部４５を台座４６に対して回転させることで、端末差込部４５に固定されたタブレット端末３０も一緒に回転させる。図６（ａ）では回転される前のタブレット端末３０及び端末差込部４５が表されており、図６（ｂ）では回転された後のタブレット端末３０及び端末差込部４５が表されている。回転駆動部４３は、制御部４１によって制御され、指定された角度だけタブレット端末３０を回転させる。回転駆動部４３は、図６では上から見て時計回りの方向Ａ１にタブレット端末３０を回転させているが、反時計回りの方向にもタブレット端末３０を回転させる。
【００２４】
本実施例では、父親、母親、子供からなる家族というグループに属するユーザによってコンテンツ表示装置２０が利用される場合を説明する。これらのユーザは、タブレット端末３０を持ち運んで各自で利用することもできるが、そうでない場合は、タブレット端末３０をクレードル４０に接続させて、コンテンツ表示装置２０として表示されるコンテンツを家族全員で見て利用するものとする。
【００２５】
このようにタブレット端末３０がクレードル４０に接続されてコンテンツ表示装置２０として機能していると、両装置の各制御部がプログラムを実行して自装置の各部を制御することで、以下に述べる機能が実現される。
図７はコンテンツ表示装置２０が実現する機能構成を表す。コンテンツ表示装置２０は、コンテンツ取得部２０１と、コンテンツ表示部２０２と、対象ユーザ特定部２０３と、ユーザ方向検出部２０４と、表示面向き制御部２０５とを備える。
【００２６】
コンテンツ取得部２０１は、自装置が表示するコンテンツを取得する。コンテンツ取得部２０１は、例えばコンテンツ配信装置１０から配信されてきた文字データや画像データ、動画データ、音データ、メタデータなどの各データを受信して自装置に保存することで、それらのデータが表すコンテンツを自装置が表示するコンテンツとして取得する。コンテンツ取得部２０１は取得したコンテンツ（上記各データ）をコンテンツ表示部２０２及び対象ユーザ特定部２０３に供給する。
【００２７】
コンテンツ表示部２０２は、コンテンツ取得部２０１により取得されたコンテンツを図５に表す表示面３４１に表示する。コンテンツ表示部２０２は本発明の「表示部」の一例である。コンテンツ表示部２０２は、コンテンツ取得部２０１から供給された文字データや画像データが表す画像（文字を含む）又は動画データが表す画像を取得されたコンテンツとして表示面３４１に表示する。また、コンテンツ表示部２０２は、駆動部２０６を備える。駆動部２０６は、表示面３４１の向きを変更するための駆動力を発生させる。駆動部２０６は、本実施例では、図６に表すように端末差込部４５を回転させる力を前述の駆動力として発生させる。この場合、コンテンツ表示部２０２は、例えば、図３に表す制御部１１、Ｉ／Ｆ部３３、表示部３４と図４に表す制御部４１、Ｉ／Ｆ部４２、回転駆動部４３とが協働して実現される。
【００２８】
対象ユーザ特定部２０３は、コンテンツ表示部２０２により表示されるコンテンツが対象とするユーザを特定する。対象ユーザ特定部２０３は本発明の「第１特定部」の一例である。対象ユーザ特定部２０３は、本実施例では、表示されるコンテンツの種類に基づいて対象とするユーザを特定する。対象ユーザ特定部２０３は、コンテンツ配信装置１０から配信される各コンテンツの種類と、それらが対象とするユーザとを対応付けた対象テーブルを用いてこの特定を行う。
【００２９】
図８は対象テーブルの一例を表す。図８の例では、「ニュース」、「天気予報」、「スポーツ情報」というコンテンツの種類が「父親」を対象ユーザとして対応付けられている。また、「料理番組」及び「芸能情報」は「母親」に、「アニメ情報」及び「教育番組情報」は「子供」に対応付けられている。対象ユーザ特定部２０３は、コンテンツ取得部２０１からコンテンツを表す各データが供給されてくると、そのうちのメタデータが表すコンテンツの種類に対象テーブルで対応付けられているユーザを対象ユーザとして特定する。例えばコンテンツの種類が「天気予報」であれば「父親」を対象ユーザとして特定し、「料理番組」であれば「母親」を対象ユーザとして特定する。対象ユーザ特定部２０３は、特定した対象ユーザを表示面向き制御部２０５に通知する。
【００３０】
ユーザ方向検出部２０４は、ユーザが存在する方向を検出する機能であり、本発明の「検出部」の一例である。ユーザ方向検出部２０４は、例えば、顔認識の手法を用いてユーザの方向を検出する。この場合、タブレット端末３０に、予め登録されたユーザ（この例では上記家族の父親、母親、子供）の顔の特徴量を記憶させておく。ユーザ方向検出部２０４は、撮影部３６が撮影した写真を解析して人の顔を抽出し、その特徴量を算出する。ユーザ方向検出部２０４は、算出した特徴量と自装置に記憶されている特徴量をマッチングさせて抽出した顔が表すユーザを特定する。ユーザ方向検出部２０４は、抽出した顔の輪郭や目の間隔などから割り出せる顔の大きさと、記憶されている特徴量が表す実際の顔の大きさからその顔のユーザまでの距離を算出し、算出した距離と抽出した顔が写っている写真上の位置とに基づいてそのユーザの方向を検出する。
【００３１】
図９は検出されたユーザの方向の一例を表す。本実施例では、ユーザ方向検出部２０４は、図５に表すコンテンツ表示装置２０のレンズ３６１の正面の方向とユーザの方向とが成す角度の水平方向成分によってユーザの方向を表すものとする。図９の例では父親の方向がＲθ１（レンズ３６１から見て正面方向より右側に角度θ１を成す方向）と表される。また、母親の方向がＬθ２（同じく正面方向より左側に角度θ２を成す方向）と表され、子供の方向がＬθ３（同じく正面方向より左側に角度θ３を成す方向）と表される。
【００３２】
このようにして、ユーザ方向検出部２０４は、自装置（コンテンツ表示装置２０）の周囲に存在するユーザの方向を検出する。自装置の周囲とは、本実施例では、撮影部３６が撮影した写真に顔が写る範囲のことであり、言い換えると、撮影部３６及びそれを備えるコンテンツ表示装置２０を見ることができる位置のことである。ユーザ方向検出部２０４は、各ユーザについて特定した方向を表示面向き制御部２０５に通知する。
【００３３】
表示面向き制御部２０５は、対象ユーザ特定部２０３により特定されたユーザについてユーザ方向検出部２０４により検出された方向に、コンテンツ表示部２０２によってコンテンツが表示されるときの表示面３４１の向きを向けるようにコンテンツ表示部２０２を制御する。表示面向き制御部２０５は本発明の「第１制御部」の一例である。表示面向き制御部２０５は、特定されたユーザについて方向が検出された場合にこの制御を行う。
【００３４】
表示面向き制御部２０５は、例えば、図９に表す各方向が検出され、対象ユーザ特定部２０３により父親が特定された場合には、表示面３４１を右側に角度θ１だけ回転させるようにコンテンツ表示部２０２を制御する。また、表示面向き制御部２０５は、母親が特定された場合には表示面３４１を左側に角度θ２だけ回転させ、子供が特定された場合には表示面３４１を左側に角度θ３だけ回転させるようにコンテンツ表示部２０２を制御する。
【００３５】
コンテンツ表示装置２０は、上記の構成に基づいて、表示するコンテンツが対象とするユーザの方向に表示面３４１を向ける向き制御処理を行う。
図１０は向き制御処理における動作手順の一例を表す。この動作手順は、コンテンツ配信装置１０からコンテンツ表示装置２０にコンテンツが配信されてくることを契機に開始される。
【００３６】
まず、コンテンツ表示装置２０（コンテンツ取得部２０１）は、配信されてくるコンテンツを取得する（ステップＳ１１）。次に、コンテンツ表示装置２０（対象ユーザ特定部２０３）は、取得されたコンテンツが対象とするユーザを特定する（ステップＳ１２）。続いて、コンテンツ表示装置２０（ユーザ方向検出部２０４）は、ユーザが存在する方向を検出する（ステップＳ１３）。次に、コンテンツ表示装置２０（表示面向き制御部２０５）は、特定された対象ユーザの方向が検出されたか否かを判断し（ステップＳ１４）、検出された（ＹＥＳ）と判断した場合には、図５に表す表示面３４１の向きを検出された方向に向けるよう制御を行う（ステップＳ１５）。
【００３７】
そして、コンテンツ表示装置２０（コンテンツ表示部２０２）は、取得されたコンテンツを表示して（ステップＳ１６）、この動作手順を終了する。コンテンツ表示装置２０（コンテンツ表示部２０２）は、ステップＳ１４で対象ユーザの方向が検出されなかった（ＮＯ）と判断した場合には、表示面３４１の向きを変えずにステップＳ１６においてコンテンツを表示する。なお、ステップＳ１２及びＳ１３の動作は順番を入れ替えてもよいし、並行して行われてもよい。また、ステップＳ１６の動作はステップＳ１１よりも後であればいつ行われてもよい。
【００３８】
本実施例では、例えばニュースが表示される際には、それが対象とするユーザである父親の方向に表示面３４１が向いた状態でそのニュースが表示される。このとき、父親は、表示面３４１が自分の方を向くので、表示されるコンテンツ（ニュース）が自分向けであることを認識する。同様に、母親や子供も、自分向けのコンテンツが表示される場合には表示面３４１が自分の方を向くので、表示されるコンテンツが自分向けであることを認識する。このように、本実施例によれば、表示されるコンテンツが自分を対象としたものであることをユーザに伝えることができる。
【００３９】
また、本実施例ではコンテンツの種類に基づいて対象ユーザが特定される。例えばスポーツ情報であれば父親が最も関心を持っており、料理番組であれば母親が最も関心を持っているというように、コンテンツの種類が異なれば各ユーザの関心の深さも異なっていることが多い。そこで、例えば図８に表す対象テーブルにおいてコンテンツの種類とその種類のコンテンツへの関心が深いユーザとを対応付けてことで、各ユーザの関心に合わせて対象ユーザを特定することができる。
【００４０】
［２］第２実施例
本発明の第２実施例について、以下、第１実施例と異なる点を中心に説明する。第１実施例では、表示面３４１の向きが制御されたが、第２実施例では、表示面３４１に表示される画像が示す向きが制御される。以下では、ここでいう向きを示す画像として、人間の形をしたキャラクタ画像が表示される例を説明する。
【００４１】
図１１は第２実施例のコンテンツ表示装置２０ａが実現する機能構成を表す。コンテンツ表示装置２０ａは、図７に表す表示面向き制御部２０５に代えて画像向き制御部２０７を備える。本実施例のコンテンツ表示部２０２は、取得されたコンテンツとともにキャラクタ画像を表示面３４１に表示する。
【００４２】
図１２は表示面３４１に表示されるキャラクタ画像の一例を表す。図１２の例では、コンテンツ表示部２０２が、天気予報のコンテンツＣ１と人の顔を表すキャラクタ画像Ｄ１とを表示面３４１に表示している。例えばタブレット端末３０にはキャラクタ画像Ｄ１を表す画像データが予め記憶されており、コンテンツ表示部２０２はコンテンツＣ１を表示する際にその画像データを読み出してキャラクタ画像Ｄ１を表示する。画像向き制御部２０７は、キャラクタ画像Ｄ１の表情を変えさせることで、キャラクタ画像Ｄ１が示す向きを制御する。
【００４３】
図１３はキャラクタ画像Ｄ１が向きを示す例を表す。キャラクタ画像Ｄ１は右目画像Ｄ２と左目画像Ｄ３とを有する。図１３（ａ）ではキャラクタ画像Ｄ１が正面を向いているとき、図１３（ｂ）ではキャラクタ画像Ｄ１が右を向いているとき、図１３（ｃ）ではキャラクタ画像Ｄ１が左を向いているときの右目画像Ｄ２及び左目画像Ｄ３が表されている。画像向き制御部２０７は、このように、キャラクタ画像Ｄ１の右目画像Ｄ２及び左目画像Ｄ３を変化させることでキャラクタ画像Ｄ１が示す向きを変化させる。
【００４４】
図１４は右目画像Ｄ２を拡大して表す。画像向き制御部２０７は、検出された対象ユーザの方向に応じて右目画像Ｄ２を変化させる。右目画像Ｄ２は、白目画像Ｄ４とその中に配置される黒目画像Ｄ５によって表されている。画像向き制御部２０７は、対象ユーザの方向が正面の場合は白目画像Ｄ４の中央に黒目画像Ｄ５を配置した画像を右目画像Ｄ２として表示する。画像向き制御部２０７は、対象ユーザの方向が右向き６０度の場合は白目画像Ｄ４の中央から長さＬ１だけ左側にずらした位置に黒目画像Ｄ５を配置した画像を右目画像Ｄ２として表示する。本実施例では、このとき、キャラクタ画像Ｄ１は最も右側を向いた状態になる（なお、この状態を右向き６０度としたのは一例であり、右向き９０度としても、それ以外の角度としてもよい）。
【００４５】
また、画像向き制御部２０７は、対象ユーザの方向が右向き４０度の場合は白目画像Ｄ４の中央から長さＬ２だけ左側にずらした位置に黒目画像Ｄ５を配置した画像を右目画像Ｄ２として表示し、対象ユーザの方向が右向き２０度の場合は白目画像Ｄ４の中央から長さＬ３だけ左側にずらした位置に黒目画像Ｄ５を配置した画像を右目画像Ｄ２として表示する（Ｌ１＞Ｌ２＞Ｌ３）。画像向き制御部２０７は、左目画像Ｄ３もこれと同様に表示し、また、左向きの場合は黒目画像Ｄ５をずらす方向を反対に（つまり右側にずらすように）する。
【００４６】
画像向き制御部２０７は、上記キャラクタ画像Ｄ１を表示することで、第１実施例における表示面向き制御部２０５と同様の制御を行う。具体的には、画像向き制御部２０７は、対象ユーザ特定部２０３により特定されたユーザについてユーザ方向検出部２０４により方向が検出されていれば、コンテンツ表示部２０２によってコンテンツが表示されるときの表示面３４１に表示される画像（例えばキャラクタ画像Ｄ１）が示す向きを、その検出された方向に向けるようにコンテンツ表示部２０２を制御する。画像向き制御部２０７は本発明の「第１制御部」の一例である。
【００４７】
ユーザは、コンテンツが表示されたときにキャラクタ画像Ｄ１の目線が自分の方を向いていれば、そのコンテンツが自分向けであると認識することができる。これにより、第１実施例と同様に、表示されるコンテンツが自分を対象としたものであることをユーザに伝えることができる。
【００４８】
［３］変形例
上述した各実施例はそれぞれが本発明の実施の一例に過ぎず、以下のように変形させてもよい。また、各実施例及び以下に示す各変形例は、必要に応じて組み合わせて実施してもよい。
【００４９】
［３−１］画像が示す向き
第２実施例では、キャラクタ画像の目線によって画像の向きを示したが、例えばキャラクタ画像の顔の向きや体全体の向きによって方向を示してもよいし、キャラクタ画像が指差す向きや指示棒で指し示す向きによって方向を示してもよい。また、人間の画像ではなくイヌやネコなどの動物の画像や、車や飛行機などの物の画像によって方向を示してもよい。例えば物の場合、その物の正面の向きを決めておき、そこから物の正面が斜めに向いた画像を表示することで、斜めの方向を示せばよい。また、文字の画像も用いて向きを示してもよい。例えば目線が右斜め４５度を向いている場合に「右斜め４５度向き」という向きを表す文字を合わせて表示させることで、そのような文字を表示させない場合に比べて、画像の向きをより正確にユーザに伝えることができる。
【００５０】
［３−２］複数のコンテンツ
上記の各実施例では表示されるコンテンツが１つである場合を説明したが、例えばコンテンツ取得部２０１が複数のコンテンツをまとめて取得して、それら複数のコンテンツが表示可能となり、且つ、対象とするユーザもそれぞれ異なっている場合について説明する。このように対象ユーザ特定部２０３が複数のコンテンツがそれぞれ対象とするユーザを特定した場合、例えば第１実施例であれば、表示面向き制御部２０５が、特定されたそれら複数のユーザから選択された一のユーザの方向に表示面３４１の向きを向ける制御を繰り返し行う。この一のユーザの選択は、表示面向き制御部２０５が行ってもよいし、他の機能により行われてもよい。
【００５１】
図１５は表示面３４１の向きが移り変わる様子の一例を表す。図１５（ａ）では表示面３４１が父親の方向を向いており、図１５（ｂ）では子供の方向を、図１５（ｃ）では母親の方向を表示面３４１が向いている。図１５の例では、表示面向き制御部２０５が、このように順次選択された一のユーザの方向に表示面３４１の向きを向ける制御を行っている。また、コンテンツ表示部２０２は、この制御に合わせて、表示面３４１の向きが向いている方向にいるユーザ、すなわち選択された一のユーザを対象とするコンテンツを表示する。これにより、各ユーザは、自分を対象とするコンテンツについてはそうでないコンテンツよりも見やすい角度で見ることができる。
【００５２】
なお、図１５の例では、父親、子供、母親というように一のユーザが順次選択されたが、これに限らず、例えば、選択されないユーザがいてもよいし、同じユーザが他のユーザよりも多く選択されてもよい（例えば父親、子供、父親という順番など）。また、コンテンツ表示部２０２が表示面向き制御部２０５の制御に合わせてコンテンツを表示するのではなく、コンテンツ表示部２０２が表示するコンテンツに合わせて表示面向き制御部２０５が表示面３４１の向きを制御してもよい。また、第２実施例の画像向き制御部２０７が、キャラクタ画像Ｄ１等が示す向きを、表示面３４１の向きと同様に制御してもよい。いずれの場合も、コンテンツの対象として特定された複数のユーザから選択された一のユーザの方向に表示面３４１の向き又はキャラクタ画像Ｄ１等が示す向きを向ける制御が表示面向き制御部２０５によって繰り返し行われればよい。
【００５３】
［３−３］代表方向
上記のように、複数のコンテンツが表示可能となり、且つ、対象とするユーザもそれぞれ異なっている場合に、表示面３４１の向きをいちいち変えないようにしてもよい。例えば、対象ユーザ特定部２０３が複数のコンテンツがそれぞれ対象とするユーザを特定した場合、表示面向き制御部２０５が、特定されたそれらのユーザが存在する一定の範囲における一の方向（以下「代表方向」という）を定めてその代表方向に表示面３４１の向きを向ける。
【００５４】
図１６は代表方向の定め方を説明するための図を表す。図１６の例では、複数のコンテンツについて父親と子供が対象ユーザとして特定されたものとする。この場合、表示面向き制御部２０５は、父親の方向と成す角度がθ１１で且つ子供の方向と成す角度もθ１１である代表方向Ｅ１を定め、その代表方向Ｅ１に表示面３４１を向けるよう制御を行う。
【００５５】
表示面向き制御部２０５がこのように表示面３４１の向きを代表方向Ｅ１に向ける制御を行うと、コンテンツ表示部２０２は、対象ユーザ特定部２０３により対象（この例では父親及び子供）が特定されたコンテンツを表示する。コンテンツ表示部２０２は、これらのコンテンツを順次表示してもよいし、一度に表示してもよい。
【００５６】
表示面３４１が代表方向Ｅ１を向いていれば、父親及び子供は、表示されるコンテンツが母親の方向よりは自分の方向の近くに向いているので、母親よりは自分を対象としたものである可能性が高いと見当をつけることができる。また、各コンテンツの表示中に表示面３４１の向きが変わらないので、表示面３４１が自分の方を向くタイミングを逃さないように注意し続けるという必要がない。なお、本変形例でも、第２実施例の画像向き制御部２０７が、キャラクタ画像Ｄ１等が示す向きを代表方向Ｅ１に向ける制御を行ってもよい。
【００５７】
［３−４］ユーザの優先度
複数の対象ユーザが特定される上記変形例において、それら複数のユーザに優先度が決められていてもよい。例えば選択された一の対象ユーザの方向に表示面３４１の向きを向ける制御が繰り返し行われる場合に、表示面向き制御部２０５は、特定された複数の対象ユーザのうち選択された一の対象ユーザの方向に表示面３４１の向きを向ける期間をその一の対象ユーザについて決められた優先度に応じた長さにする。表示面向き制御部２０５は、例えば対象ユーザと優先度とを対応付けた優先度テーブルを用いてこの制御を行う。
【００５８】
図１７は優先度テーブルの一例を表す。図１７の例では、「父親」、「母親」、「子供」の優先度が「３」、「１」、「２」とそれぞれ対応付けられている。また、この例では、「１」、「２」、「３」の優先度に対して「１０分」、「５分」、「３分」という制御期間が対応付けられている。この制御期間は、表示面３４１の向きを対象ユーザに向ける期間を表している。この優先度テーブルを用いて且つ父親、母親、子供がそれぞれ一の対象ユーザとして選択された場合、表示面向き制御部２０５は、まず表示面３４１を母親の方向に１０分間向け、次に子供の方向に５分間向け、最後に父親の方向に３分間向ける。
【００５９】
その間、コンテンツ表示部２０２は表示面３４１が向いている方向のユーザを対象とするコンテンツを表示する。これにより、優先度が高いユーザほど、自分を対象としたコンテンツを長い時間見ることができる。また、表示面３４１が自分の方を向いている期間が短いと、その期間に他のことに集中していて自分を対象としたコンテンツが表示されていたことに気付かないということが起こりやすくなるが、本変形例では、優先度が高いユーザほど、表示面３４１が自分の方を向いている期間が長くなるのでそのようなことが起こりにくくなる。
【００６０】
また、図１６に表す代表方向Ｅ１が定められる場合に、表示面向き制御部２０５は、優先度の低いユーザの方向よりも優先度の高いユーザの方向に近い方向を代表方向として定める。
図１８は優先度テーブルの別の一例を表す。図１８の例では図１７の例と同様の優先度と、「１」、「２」、「３」の優先度に対して「４」、「２」、「１」という重みが対応付けられている。表示面向き制御部２０５は、例各ユーザの方向と代表方向とが成す角度にそのユーザの優先度に対応付けられた重みを乗じた値同士が一致するように代表方向を定める。
【００６１】
図１９は本変形例で定められる代表方向の一例を表す。図１９の例では、父親と母親が対象ユーザとして特定された場合に代表方向Ｅ２が定められている。代表方向Ｅ２と母親の方向とが成す角度θ２１と、代表方向Ｅ２と父親の方向とが成す角度θ２２とが、θ２１×母親の重み「４」＝θ２２×父親の重み「１」という関係になっている。このように優先度に基づいて代表方向が定められることにより、優先度が高いユーザほどコンテンツが見やすいようにすることができる。
【００６２】
なお、本変形例では、予め決められた優先度が用いられてもよいし、状況に応じて異なる優先度が用いられてもよい。例えば朝の時間帯は父親の優先度を高くし、日中の時間帯は母親の優先度と高くし、夕方の時間帯は子供の優先度を高くするといった具合である。また、ユーザにコンテンツを見る余裕がない状況では優先度を低く（テスト期間中や入試の前は子供の優先度を低く、勤め先の繁忙期は父親の優先度を低く）してもよい。
【００６３】
［３−５］表示面が見えない位置
上記の例では表示面３４１が見える位置にどの対象ユーザも所在していたが、そうでない場合もある。つまり表示面３４１が見えない位置に対象ユーザが所在する場合について説明する。
【００６４】
図２０は本変形例のコンテンツ表示装置２０ｂが実現する機能構成を表す。コンテンツ表示装置２０ｂは、図７に表す各部に加えて、ユーザ検知部２０８と、コンテンツ出力部２０９とを備える。ユーザ検知部２０８は、グループに属するユーザのうち表示面３４１が見える位置にいるユーザを検知する。ユーザ検知部２０８は本発明の「検知部」の一例である。ここでいうグループとは、コンテンツ表示装置２０ｂをともに利用するユーザのグループであり、例えば実施例で述べた家族である。
【００６５】
本変形例ではタブレット端末３０にグループに属するユーザの顔の特徴量を記憶させておく。ユーザ検知部２０８は、例えば実施例で述べたユーザ方向検出部２０４と同様に撮影された写真から人の顔を抽出し、抽出した顔と特徴量が共通する顔が記憶されているユーザを、表示面３４１が見える位置にいるユーザとして検知する。ユーザ検知部２０８は、こうして検知したユーザ（表示面３４１が見える位置にいるユーザ）をコンテンツ出力部２０９及びコンテンツ表示部２０２に通知する。
【００６６】
コンテンツ出力部２０９は、前述したグループに属するユーザのうちユーザ検知部２０８により検知されなかったユーザに対応付けられた宛先にコンテンツを出力する。コンテンツ出力部２０９は本発明の「出力部」の一例である。タブレット端末３０には上記グループに属する各ユーザの宛先が記憶されている。ユーザの宛先とは、例えばそのユーザの電子メールのアドレスやＳＮＳ（Social Networking Service）のアカウントなどである。コンテンツ出力部２０９には、コンテンツ取得部２０１により取得されたコンテンツが供給される。また、コンテンツ出力部２０９には、対象ユーザ特定部２０３により特定された対象ユーザが通知される。
【００６７】
コンテンツ出力部２０９は、通知された対象ユーザが、ユーザ検知部２０８により表示面３４１が見える位置にいるユーザとして検知されなかったユーザ、すなわち表示面３４１が見えない位置にいるユーザである場合、供給されたコンテンツをその対象ユーザに対応付けられている宛先に向けて出力する（具体的には電子メールの発信やＳＮＳへの投稿などを行う）。なお、コンテンツ出力部２０９は、ＯＳ（Operating System）が有するプッシュ通知機能（ＳＭＳ（Short Message Service）、ＧＣＭ（Google（登録商標） Cloud Messaging）、ＡＰＮＳ（Apple（登録商標） Push Notification Service）など）を用いてコンテンツを出力してもよい（その場合に、通知する情報のみを表すコンテンツを出力するだけでなく、例えばユーザの操作を受け付けるコンテンツを出力してもよい）。
【００６８】
コンテンツ表示部２０２は、ユーザ検知部２０８により検知されなかったユーザがコンテンツの対象として対象ユーザ特定部２０３により特定された場合には、そのコンテンツの表示を中止する。表示の中止とは、そのコンテンツを既に表示していればその表示を取りやめることをいい、そのコンテンツを表示する前であれば表示を開始しないことをいう。コンテンツ表示部２０２は、例えば前者の場合は次に取得されたコンテンツを表示し、後者の場合はそれまで表示していたコンテンツを引き続き表示するか、次に取得されたコンテンツを表示する。本変形例のコンテンツ表示装置２０の動作について図２１を参照して説明する。
【００６９】
図２１は本変形例の向き制御処理における動作手順の一例を表す。図２１の例では、まず図１０に表すステップＳ１３の動作（ユーザ方向の検出）までが行われる。次に、コンテンツ表示装置２０（ユーザ検知部２０８）は、表示面３４１が見える位置にいるユーザを検知する（ステップＳ２１）。続いて、コンテンツ表示装置２０（コンテンツ出力部２０９）は、ステップＳ２１で対象ユーザが検知されたか否かを判断し（ステップＳ２２）、検知されていない（ＮＯ）と判断した場合には、取得されたコンテンツをその対象ユーザに対応付けられた宛先に向けて出力する（ステップＳ２３）。
【００７０】
コンテンツ表示装置２０は、ステップＳ２２で検知された（ＹＥＳ）と判断した場合には図１０に表すステップＳ１３以降の動作を行う。コンテンツ表示装置２０（コンテンツ表示部２０２）は、ステップＳ２３の次には、取得されたコンテンツ（つまりステップＳ２３で出力したコンテンツ）の表示を中止して（ステップＳ２４）、この動作手順を終了する。なお、ステップＳ２３及びＳ２４の動作は順番が反対でもよいし、並行して行われてもよい。
【００７１】
本変形例によれば、表示面３４１が見えない位置にいるユーザを対象とするコンテンツがそのユーザに提供されることになる。また、対象ユーザに見てもらうことができないコンテンツを表示することがなくなる。なお、本変形例では、ユーザ方向検出部２０４が、方向を検出できたユーザを表示面３４１が見える位置にいるユーザとして検知してもよい。この場合、ユーザ方向検出部２０４が本発明の「検知部」の一例となる。
【００７２】
［３−６］音量の変更
コンテンツには音（人の声や楽器の音、自然の音など）が含まれるものがある。そのようなコンテンツを表示して音を放音する場合に、その音量を次のように制御してもよい。
【００７３】
図２２は本変形例のコンテンツ表示装置２０ｃが実現する機能構成を表す。コンテンツ表示装置２０ｃは、図７に表す各部に加えて、ユーザ距離測定部２１０と、放音部２１１と、音量制御部２１２とを備える。ユーザ距離測定部２１０は、自装置からユーザまでの距離を測定する。ユーザ距離測定部２１０は本発明の「測定部」の一例である。ユーザ距離測定部２１０は、ユーザ方向検出部２０４と同様に、撮影された写真から抽出された顔の大きさからユーザまでの距離を測定する。ユーザ距離測定部２１０は、測定した距離を音量制御部２１２に供給する。
【００７４】
放音部２１１は音を放音する機能である。放音部２１１は、例えばコンテンツ取得部２０１からコンテンツを表す音データが供給されると、その音データが表す音、すなわちコンテンツに含まれる音を放音する。放音部２１１は本発明の「放音部」の一例である。
【００７５】
音量制御部２１２は、対象ユーザ特定部２０３により特定されたユーザを対象とするコンテンツが表示される場合に、ユーザ距離測定部２１０により測定されたそのユーザと自装置との距離に応じた音量で音を放音するよう放音部２１１を制御する。音量制御部２１２は本発明の「第２制御部」の一例である。音量制御部２１２は、例えば自装置及びユーザの距離と音量とを対応付けた音量テーブルを用いてこの制御を行う。
【００７６】
図２３は音量テーブルの一例を表す。図２３の例では、「２ｍ（メートル）未満」、「２ｍ以上４ｍ未満」及び「４ｍ以上」というユーザとの距離に、「小」、「中」及び「大」という音量がそれぞれ対応付けられている。音量制御部２１２は、対象ユーザ特定部２０３から特定された対象ユーザが通知され、その対象ユーザとの距離がユーザ距離測定部２１０により測定されると、測定された距離に音量テーブルで対応付けられている音量で音を放音するように放音部２１１に指示する。放音部２１１は、音量制御部２１２から指示された音量で音を放音する。
【００７７】
本変形例によれば、ユーザは自分を対象とするコンテンツが表示されているときに、上記の音量の制御が行われない場合に比べて自分が聞きやすい音量の音を聞くことができる。なお、放音部２１１が放音する音はコンテンツに含まれるものに限らず、タブレット端末３０に予め記憶されている音データが表す音であってもよい。また、本変形例では、ユーザ方向検出部２０４が、自装置とユーザまでの距離を測定してもよい。この場合、ユーザ方向検出部２０４が本発明の「測定部」の一例となる。
【００７８】
［３−７］音量の低減
上記の音量を制御する例において、他のユーザが近くにいる場合に音量を変更してもよい。具体的には、音量制御部２１２は、第１ユーザを対象とするコンテンツが表示される場合に、その第１ユーザについて測定された距離よりも短い距離が測定された第２ユーザがいるときには、その距離に応じた音量よりも小さな音量で音を放音させる。
【００７９】
図２４は第１及び第２ユーザの一例を表す。図２４の例では、父親が対象ユーザとして特定されており、父親までの距離がＬ１１と測定され、子供までの距離がＬ１２（Ｌ１２＜Ｌ１１）と測定されている。例えばＬ１１が４ｍ以上の距離であれば、音量制御部２１２は図２３に表す音量テーブルで距離Ｌ１１に対応付けられている「大」の音量で音を放音するように放音部２１１を制御するが、本変形例では、Ｌ１１より短い距離Ｌ１２の位置に子供がいるため、音量制御部２１２は例えば音量を１段階下げて「中」の音量で音を放音するように放音部２１１を制御する。
【００８０】
音量が「大」だと距離が離れている父親にとっては丁度良い音量だとしても、距離が近い子供にとっては大きすぎる音量になりやすい。本変形例ではそのように近くにユーザがいる場合に、そのユーザにとって大きすぎる音量で音が放音されないようにすることができる。なお、音量の下げ方は上記のものに限らず、例えば距離Ｌ１１と距離Ｌ１２との比率で音量を下げてもよい（つまり元の音量÷Ｌ１１×Ｌ１２）。また、距離Ｌ１２も音量テーブルにおいて距離Ｌ１１と同じ範囲（例えば４ｍ以上）である場合には音量制御部２１２が音量を下げないようにしてもよい。
【００８１】
［３−８］音声指示
コンテンツ表示装置２０が音声で指示できるようになっていてもよい。その場合に、音声で指示したユーザを対象とするコンテンツを優先的に表示させてもよい。
【００８２】
図２５は本変形例のコンテンツ表示装置２０ｄが実現する機能構成を表す。コンテンツ表示装置２０ｄは、図７に表す各部に加えて、音声指示受付部２１３と、指示ユーザ特定部２１４とを備える。音声指示受付部２１３は、ユーザからの音声による指示を受け付ける。音声指示受付部２１３は本発明の「受付部」の一例である。音声指示受付部２１３は、自装置のマイクロフォンに入力されたユーザの音声を周知の音声認識技術を用いて認識し、決められた指示を表す言葉が認識された場合に、その指示を受け付ける。
【００８３】
決められた指示とは、例えば、コンテンツ表示部２０２によるコンテンツの表示を開始させる指示や、表示されているコンテンツを切り替える指示などである。音声指示受付部２１３は、指示を受け付けると、その指示の内容をコンテンツ表示部２０２に通知する。コンテンツ表示部２０２は、通知された指示に基づいてコンテンツの表示を開始したり、表示しているコンテンツを切り替えたりする。また、音声指示受付部２１３は、受け付けた指示を表す音声を指示ユーザ特定部２１４に供給する。
【００８４】
指示ユーザ特定部２１４は、前述した音声による指示をしたユーザを特定する。指示ユーザ特定部２１４は本発明の「第２特定部」の一例である。タブレット端末３０には、各ユーザの音声パターンが記憶されている。指示ユーザ特定部２１４は、音声指示受付部２１３から供給された音声と特徴が共通する音声パターンが記憶されていれば、その音声パターンを有するユーザを音声による指示をしたユーザとして特定する。指示ユーザ特定部２１４は、特定したユーザをコンテンツ表示部２０２及び表示面向き制御部２０５に通知する。
【００８５】
コンテンツ表示部２０２は、指示ユーザ特定部２１４により特定されたユーザを対象とするコンテンツを表示する。コンテンツ表示部２０２は、例えば父親からの音声の指示によりコンテンツの表示を開始した場合には、父親を対象としたコンテンツの取得をコンテンツ取得部２０１に要求する。コンテンツ取得部２０１は、要求されたコンテンツをコンテンツ配信装置１０に要求する。本変形例ではコンテンツ配信装置１０が要求されたコンテンツを配信する機能を有するものとする。コンテンツ配信装置１０は、この要求に応答して父親を対象とするコンテンツを配信し、コンテンツ表示部２０２は、こうして取得された父親を対象とするコンテンツを表示する。
【００８６】
表示面向き制御部２０５は、指示ユーザ特定部２１４により特定されたユーザについてユーザ方向検出部２０４が検出した方向に表示面３４１の向きを向ける。これにより、コンテンツ表示装置２０に対して音声で指示をしたユーザは、自分を対象とするコンテンツをすぐに見ることができ、且つ、そのコンテンツが自分を対象としたものであることを表示面３４１の向きによって認識することができる。なお、本変形例でも、第２実施例の画像向き制御部２０７が、キャラクタ画像Ｄ１等が示す向きを代表方向Ｅ１に向ける制御を行ってもよい。
【００８７】
［３−９］対象ユーザの特定方法
対象ユーザ特定部２０３は、実施例ではコンテンツの種類に基づいて対象ユーザを特定したが、これに限らず、例えば、コンテンツの内容に基づいて対象ユーザを特定してもよい。その場合、対象ユーザ特定部２０３は、コンテンツの内容を分析してどのユーザ向けであるかを特定する。具体的には、対象ユーザ特定部２０３は、例えば、父親、母親、子供に対応付けたキーワード（各ユーザが関心を持つと思われる言葉など）を記憶しておき、コンテンツを表す文字情報に含まれるこれらのキーワードの個数が最も多いユーザを対象ユーザとして特定する。なお、コンテンツの内容を分析する方法にはこれ以外の周知の技術が用いられてもよい。本変形例によれば、コンテンツの種類が同じでもその内容によって異なるユーザを対象として表示させることができる。
【００８８】
［３−１０］ユーザ方向の検出方法
ユーザ方向検出部２０４は、実施例では撮影部３６が撮影した写真に基づいてユーザが存在する方向を検出したがこれに限らない。ユーザ方向検出部２０４は、例えば、サーモグラフィの映像に基づいて検出を行ってもよいし、複数の人感センサを各方向に向けて配置し、人感センサが反応した方向をユーザが存在する方向として検出してもよい。
【００８９】
これらの場合もユーザ方向検出部２０４は自装置の周囲に存在するユーザの方向を検出することになる。なお、検出に用いるセンサによっては、コンテンツ表示装置２０が見えない位置に存在するユーザの方向が検出される場合もあるが、その場合でも、ユーザが少し移動したり姿勢を変えたりすればコンテンツ表示装置２０を見ることができるのであれば、実施例と同様に表示されるコンテンツが自分を対象としたものであることをユーザに伝えることができる。
【００９０】
［３−１１］コンテンツ表示装置
例えば第１実施例では、タブレット端末３０及びクレードル４０が協働することでコンテンツ表示装置２０として機能したが、これに限らず、コンテンツ表示装置が単一の装置であってもよい。
【００９１】
図２６は本変形例のコンテンツ表示装置５０のハードウェア構成を表す。コンテンツ表示装置５０は、制御部５１と、記憶部５２と、通信部５３と、表示部５４と、操作部５５と、撮影部５６と、音入出力部５７と、回転駆動部５８とを備えるコンピュータである。これらの各部は図３及び図４に表された同名の各部と同種のハードウェアである。コンテンツ表示装置５０は、このハードウェアに基づいて、図７や図１１などに表す各機能を実現する。
【００９２】
［３−１２］クレードルを介した通信
タブレット端末３０は、実施例では直接ネットワーク２を介してコンテンツ配信装置１０とデータ通信を行ったが、これに限らず、例えばクレードルを介してデータ通信を行ってもよい。
【００９３】
図２７は本変形例に係るコンテンツ提供システム１ｅの全体構成を表す。コンテンツ提供システム１ｅは、ネットワーク２に接続されたクレードル４０ｅを備える。クレードル４０ｅは、図２７の例では有線でネットワーク２に接続されている。なお、この接続は無線であってもよい。
【００９４】
図２８はクレードル４０ｅのハードウェア構成を表す。クレードル４０ｅは、図４に表す各部に加えて通信部４４を備える。通信部４４は図２に表された通信部１３と同種のハードウェアである。クレードル４０ｅは、コンテンツ配信装置１０からネットワーク２を介して送信されてきたコンテンツを受信して、自装置に接続されているタブレット端末３０に受信したコンテンツを供給する。
【００９５】
［３−１３］発明のカテゴリ
本発明は、コンテンツ表示装置のようは表示装置の他に、その表示装置及びコンテンツ配信装置を備えるコンテンツ提供システムとしても捉えられる。また、本発明は、それらの装置が実施する処理を実現するための情報処理方法としても捉えられるし、それらの装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【符号の説明】
【００９６】
１…コンテンツ提供システム、２…ネットワーク、１０…コンテンツ配信装置、２０…コンテンツ表示装置、３０…タブレット端末、４０…クレードル、２０１…コンテンツ取得部、２０２…コンテンツ表示部、２０３…対象ユーザ特定部、２０４…ユーザ方向検出部、２０５…表示面向き制御部、２０６…駆動部、２０７…画像向き制御部、２０８…ユーザ検知部、２０９…コンテンツ出力部、２１０…ユーザ距離測定部、２１１…放音部、２１２…音量制御部、２１３…音声指示受付部、２１４…指示ユーザ特定部。
【図１】
2017069865.tif 000003
【図２】
2017069865.tif 000004
【図３】
2017069865.tif 000005
【図４】
2017069865.tif 000006
【図５】
2017069865.tif 000007
【図６】
2017069865.tif 000008
【図７】
2017069865.tif 000009
【図８】
2017069865.tif 000010
【図９】
2017069865.tif 000011
【図１０】
2017069865.tif 000012
【図１１】
2017069865.tif 000013
【図１２】
2017069865.tif 000014
【図１３】
2017069865.tif 000015
【図１４】
2017069865.tif 000016
【図１５】
2017069865.tif 000017
【図１６】
2017069865.tif 000018
【図１７】
2017069865.tif 000019
【図１８】
2017069865.tif 000020
【図１９】
2017069865.tif 000021
【図２０】
2017069865.tif 000022
【図２１】
2017069865.tif 000023
【図２２】
2017069865.tif 000024
【図２３】
2017069865.tif 000025
【図２４】
2017069865.tif 000026
【図２５】
2017069865.tif 000027
【図２６】
2017069865.tif 000028
【図２７】
2017069865.tif 000029
【図２８】
2017069865.tif 000030